(57)【要約】【課題】取付穴を介するコラムジャケット内への異物の侵入を抑制することができるステアリングコラム装置を提供する。【解決手段】ステアリングコラム装置１が、ステアリングシャフト３を回転可能に支持する筒状のコラムジャケット４を備える。コラムジャケット４に、コンビネーションスイッチユニット５取付用の第１取付穴２１と、キーロックユニット６取付用の第２取付穴２２とを設ける。第１取付穴２１の、第２取付穴２２に近い側の第１縁部２１ａに、コラムジャケット４の内方へ突出する壁部として折り曲げ壁部２３を延設する。【選択図】図２
2014129013.tif 000002
【特許請求の範囲】
【請求項１】
筒状のコラムジャケットと、
前記コラムジャケットに設けられたコンビネーションスイッチユニット取付用の第１取付穴と、
前記コラムジャケットに設けられたキーロックユニット取付用の第２取付穴と、を備え、
前記第１取付穴および前記第２取付穴の少なくとも一方は、前記第１取付穴および前記第２取付穴の他方に近い側の縁部に、前記コラムジャケットの内方へ突出する壁部を延設しているステアリングコラム装置。
【請求項２】
請求項１において、前記壁部は、前記他方に近い側の縁部を基端とする折り曲げ壁部を含むステアリングコラム装置。
【請求項３】
請求項２において、前記折り曲げ壁部は、前記第１取付穴の、前記第２取付穴に近い側の縁部に設けられているステアリングコラム装置。
【請求項４】
請求項２または３において、前記折り曲げ壁部は、前記基端から傾斜状に折り曲げられているステアリングコラム装置。
【請求項５】
請求項４において、前記コラムジャケットの周方向に関する、前記折り曲げ壁部の一対の縁部のそれぞれを、前記折り曲げ壁部が設けられた取付穴の対向する縁部に接続する一対の三角形状の接続壁部を備えるステアリングコラム装置。
【請求項６】
請求項１から５の何れか１項において、前記第１取付穴の少なくとも一部と前記第２取付穴の少なくとも一部とは、隣接して並んでいるステアリングコラム装置。
【発明の詳細な説明】
【技術分野】
【０００１】
本発明はステアリングコラム装置に関する。
【背景技術】
【０００２】
車両のステアリングコラム装置には、コンビネーションスイッチユニットやキーロックユニットが装備されている（例えば特許文献１，２を参照）。
一般に、コンビネーションスイッチユニットは、ヘッドライト、方向指示用のターンシグナル、ワイパーを動作させるワイパーモータ、ウォッシャー液を窓に噴出させるウォッシャーモータ等をそれぞれ動作させるための各種レバー型スイッチを含んでいる。また、キーロックユニットは、イグニッションキーの操作に応じて、手動または電動で作動してステアリングシャフトの回転をロックするロックキーを備えている。
【０００３】
一方、ステアリングシャフトを回転可能に支持するコラムジャケットのアウターチューブに、コンビネーションスイッチユニットを取り付ける技術として、アウターチューブの外周に嵌合される取付筒を介して、コンビネーションスイッチユニットを取り付ける技術が提案されている（例えば特許文献３を参照）。
しかしながら、一般的には、コンビネーションスイッチユニットは、アウタチューブに直接取り付けられおり、アウタチューブには、コンビネーションスイッチユニット取付用の取付穴と、キーロックユニット取付用の取付穴とが設けられている。
【先行技術文献】
【特許文献】
【０００４】
【特許文献１】特開２００２−４６６２４号公報
【特許文献２】実開平５−１６５４号公報
【特許文献３】特開２００８−１８９２３７号公報
【発明の概要】
【発明が解決しようとする課題】
【０００５】
例えば製造工程において、何れかの取付穴から侵入した異物が、例えばキーロックユニットの作動に影響を与えるおそれがある。
本発明は前記課題に鑑みてなされたものであり、本発明の目的は、取付穴を介するコラムジャケット内への異物の侵入を抑制することができるステアリングコラム装置を提供することである。
【課題を解決するための手段】
【０００６】
前記目的を達成するため、請求項１の発明は、筒状のコラムジャケット（４）と、前記コラムジャケットに設けられたコンビネーションスイッチユニット（５）取付用の第１取付穴（２１）と、前記コラムジャケットに設けられたキーロックユニット（６）取付用の第２取付穴（２２）と、を備え、前記第１取付穴および前記第２取付穴の少なくとも一方は、前記第１取付穴および前記第２取付穴の他方に近い側の縁部（２１ａ；２２ａ）に、前記コラムジャケットの内方へ突出する壁部（２３）を延設しているステアリングコラム装置（１）を提供する。
【０００７】
なお、括弧内の英数字は、後述する実施形態における対応構成要素等を表すが、このことは、むろん、本発明がそれらの実施形態に限定されるべきことを意味するものではない。以下、この項において同じ。
また、請求項２のように、前記壁部は、前記他方に近い側の縁部を基端（２３ａ）とする折り曲げ壁部（２３）を含んでいてもよい。
【０００８】
また、請求項３のように、前記折り曲げ壁部は、前記第１取付穴の、前記第２取付穴に近い側の縁部（２１ａ）に設けられていてもよい。
また、請求項４のように、前記折り曲げ壁部は、前記基端から傾斜状に折り曲げられていてもよい。
また、請求項５のように、前記コラムジャケットの周方向（Ｙ１）に関する、前記折り曲げ壁部の一対の縁部（２３ｃ，２３ｄ）のそれぞれを、前記折り曲げ壁部が設けられた取付穴の対向する縁部（２１ｃ，２１ｄ）に接続する一対の三角形状の接続壁部（２４，２５）を備えていてもよい。
【０００９】
また、請求項６のように、前記第１取付穴の少なくとも一部と前記第２取付穴の少なくとも一部とは、隣接して並んでいてもよい。
【発明の効果】
【００１０】
請求項１の発明によれば、第１取付穴および第２取付穴の少なくとも一方が、他方に近い側の縁部に壁部を設けているので、壁部によって、当該壁部が設けられた取付穴からコラムジャケット内への異物の侵入を抑制することができる。
また、請求項２の発明によれば、壁部が縁部を基端とする折り曲げ壁部により形成されているので、プレス成形によって取付穴を形成するときに壁部（折り曲げ壁部）を容易に形成することができる。
【００１１】
また、請求項３の発明によれば、壁部（折り曲げ壁部）が、第１取付穴の、第２取付穴に近い側の縁部に設けられているので、第１取付穴から侵入した異物が、第２取付穴に取り付けられるキーロックユニットに影響を与えることを回避することができる。
また、請求項４の発明によれば、折り曲げ壁部は、基端から傾斜状に折り曲げられているので、製造し易い。
【００１２】
また、請求項５の発明によれば、折り曲げ壁部と一対の三角形状の接続壁とで、コラムジャケット内への異物の侵入を確実に抑制することができる。
また、請求項６の発明によれば、第１取付穴と第２取付穴とが隣接して並んでいるので、壁部による異物侵入防止効果を高くすることができる。
【図面の簡単な説明】
【００１３】
【図１】本発明の一実施形態のステアリングコラム装置の概略分解斜視図である。
【図２】ステアリングコラム装置の要部の概略断面図である。
【図３】コラムジャケットの第１取付穴周辺の概略拡大斜視図である。
【図４】本発明の別の実施形態におけるコラムジャケットの第１取付穴周辺の断面図である。
【発明を実施するための形態】
【００１４】
本発明の好ましい実施形態を添付図面を参照しつつ説明する。
図１は本発明の一実施形態のステアリングコラム装置の分解斜視図である。図１を参照して、ステアリングコラム装置１は、一端に操舵部材２（ステアリングホイールに相当。図１では示さず。図２を参照）が取り付けられたステアリングシャフト３と、ステアリングシャフト３を回転可能に支持した筒状のコラムジャケット４と、コラムジャケット４に取り付けられるコンビネーションスイッチユニット５およびキーロックユニット６とを備えている。
【００１５】
コンビネーションスイッチユニット５は、コラムジャケット４の外周に嵌合される筒状部７を含むユニット本体８と、ユニット本体８から左右に突出して配置されるレバー型スイッチ９，１０とを備えている。レバー型スイッチ９は、例えばワイパーを動作させるワイパーモータ動作させる。レバー型スイッチ１０は、例えばヘッドライト、方向指示用のターンシグナルを動作させる。
【００１６】
ユニット本体８の筒状部７には、軸方向に延びる複数のスリット１１が、筒状部７の周方向に等間隔で設けられている。筒状部７は、スリット１１によって、複数の弾性片部１２に分割されている。一部または全部の弾性片部１２の内面には、係合突起１３が設けられている。
本実施形態では、キーロックユニット６が電子式である場合に則して説明するが、機械式であってもよい。キーロックユニット６は、コラムジャケット４の外周４ａに嵌合される筒状のホルダ１４と、ホルダ１４に一体に固定されたユニット本体１５とを備えている。
【００１７】
図２に示すように、ユニット本体１５内には、イグニッションキー（図示せず）の操作に応じて、ロックキー１６をステアリングシャフト３の径方向に進退させるアクチュエータ１７（例えば電動モータ）と、アクチュエータ１７の動作をロックキー１６に伝達するギヤ機構その他の伝達機構１８とが収容されている。
ロックキー１６がステアリングシャフト３の外周３ａに設けられたキーロック孔１９に係合することにより、ステアリングロックが達成される。キーロック孔１９は、図２に示すように、ステアリングシャフト３に直接設けられていてもよいし、ステアリングシャフト３の外周３ａに嵌合されたキーロックカラー（図示せず）に設けられていてもよい。
【００１８】
図１に示すように、ステアリングシャフト３は、コラムジャケット４の内周４ｂに保持された軸受２０を介して回転可能に支持されている。図１および図２に示すように、コラムジャケット４には、コンビネーションスイッチユニット５取付用の第１取付穴２１と、キーロックユニット６取付用の第２取付穴２２とが設けられている。
図１では、単一の第１取付穴２１のみを示してあるが、第１取付穴２１は、コラムジャケット４の周方向Ｙ１に並んで複数設けられている。何れか１つの第１取付穴２１と第２取付穴２２とが、隣接して並んでいる。具体的には、何れか１つの第１取付穴２１の周方向Ｙ１の少なくとも一部と第２取付穴２２の周方向Ｙ１の少なくとも一部とが、軸方向Ｘ１に隣接して並んで配置されている。
【００１９】
第１取付穴２１および第２取付穴２２の少なくとも一方は、第１取付穴２１および第２取付穴２２の他方に近い側の縁部である第１縁部２１ａ，２２ａに、コラムジャケット４の内方へ突出する壁部としての折り曲げ壁部２３を延設している。本実施形態では、第１取付穴２１の第１縁部２１ａに、折り曲げ壁部２３を延設している。
図３に示すように、第１取付穴２１は、略矩形をなし、第１縁部２１ａに対向する第２縁部２１ｂと、第１縁部２１ａおよび第２縁部２１ｂの対向方向（軸方向Ｘ１に相当）とは直交する方向（周方向Ｙ１に相当）に対向する第３縁部２１ｃおよび第４縁部２１ｄを備えている。
【００２０】
折り曲げ壁部２３は、基端としての第１辺部２３ａから傾斜状に折り曲げられている。折り曲げ壁部２３は、略矩形状をなしている。折り曲げ壁部２３は、第１取付穴２１の第１縁部２１ａに、基端を構成する第１辺部２３ａを設けている。また、折り曲げ壁部２３は、基端としての第１辺部２３ａに対向する、先端としての第２辺部２３ｂを備えている。また、折り曲げ壁部２３は、第１辺部２３ａおよび第２辺部２３ｂが対向する方向（軸方向Ｘ１）とは直交する方向（周方向Ｙ１）に対向する第３辺部２３ｃおよび第４辺部２３ｄを備えている。
【００２１】
第１取付穴２１において、第２縁部２１ｂと、折り曲げ壁部２３の先端としての第２辺部２３ｂとの間に、実質的な開口が形成されている。
その実質的な開口に、図２に示すように係合突起１３が挿入されている。すなわち、コンビネーションスイッチユニット５の筒状部７の弾性片部１２の内面に設けられた係合突起１３は、第１取付穴２１の第２縁部２１ｂに係合されている。筒状部７の外周７ａに嵌合される例えば線状の輪ばね３０によって、筒状部７が締め付けられて、係合突起１３と第２縁部２１ｂとの係合が保持されている。
【００２２】
本実施形態によれば、第１取付穴２１が、第２取付穴２２に近い側の第１縁部２１ａに壁部（折り曲げ壁部２３）を設けているので、壁部（折り曲げ壁部２３）によって、例えば製造工程において、第１取付穴２１からコラムジャケット４内へ異物が侵入することを抑制することができる。したがって、異物によるキーロックユニット６への悪影響の発生を抑制することができる。
【００２３】
また、壁部が第１縁部２１ａを基端（第１辺部２３ａ）とする折り曲げ壁部２３により形成されているので、プレス成形によって第１取付穴２１を形成するときに壁部（折り曲げ壁部２３）を容易に形成することができる。
また、壁部（折り曲げ壁部２３）が、第１取付穴２１の、第２取付穴２２に近い側の第１縁部２１ａに設けられているので、第１取付穴２１から侵入した異物が、第２取付穴２２に取り付けられるキーロックユニット６に影響を与えることを確実に回避することができる。
【００２４】
また、折り曲げ壁部２３は、第１縁部２１ａを基端（第１辺部２３ａ）として傾斜状に折り曲げられているので、製造し易い。
また、第１取付穴２１の少なくとも一部と第２取付穴２２の少なくとも一部とが隣接して並んでいるので、壁部（折り曲げ壁部２３）による異物侵入防止効果を高くすることができる。
【００２５】
図４は本発明の別の実施形態を示している。図４を参照して、本実施形態が図３の実施形態と異なるのは、下記である。すなわち、コラムジャケット４の周方向Ｙ１に対向する、折り曲げ壁部２３の第３辺部２３ｃおよび第４辺部２３ｄを、第１取付穴２１の対向する第３縁部２１ｃおよび第４縁部２１ｄにそれぞれ接続する一対の三角形状の接続壁部２４，２５を設けている。
【００２６】
本実施形態によれば、折り曲げ壁部２３と一対の三角形状の接続壁部２４，２５とで、コラムジャケット４内への異物の侵入を確実に抑制することができる。また、折り曲げ壁部２３の剛性が向上するので、不用意な異物の挿入を確実に防止することができる。
なお、本発明は前記実施形態に限定されるものではなく、例えば、図示していないが、壁部（折り曲げ壁部）を第２取付穴２２の、第１取付穴２１に近い側の縁部（第１縁部２２ａ）に設けてもよい。その他、本発明の請求項記載の範囲内で種々の変更を施すことができる。
【符号の説明】
【００２７】
１…ステアリングコラム装置、３…ステアリングシャフト、４…コラムジャケット、４ａ…外周、５…コンビネーションスイッチユニット、６…キーロックユニット、７…筒状部、８…ユニット本体、９，１０…レバー型スイッチ、１１…スリット、１２…弾性片部、１３…係合突起、１４…ホルダ、１５…ユニット本体、１６…ロックキー、１９…キーロック孔、２１…第１取付穴、２１ａ…第１縁部（他方に近い側の縁部）、２１ｂ…第２縁部、２１ｃ…第３縁部、２１ｄ…第４縁部、２２…第２取付穴、２２ａ…第１縁部（他方に近い側の縁部）、２３…折り曲げ壁部、２３ａ…第１辺部（基端）、２３ｂ…第２辺部（先端）、２３ｃ…第３辺部、２３ｄ…第４辺部、２４，２５…接続壁部、Ｘ１…軸方向、Ｙ１…周方向
【図１】
2014129013.tif 000003
【図２】
2014129013.tif 000004
【図３】
2014129013.tif 000005
【図４】
2014129013.tif 000006